(57)【特許請求の範囲】
【請求項１】
封筒であって、
前記封筒の表紙の封入口辺に繋がって設けられ、前記封筒の裏紙側に折り曲げられることにより前記封筒を封緘する蓋部と、
前記裏紙の封入口辺に繋がって設けられたフラップ部と、
を備え、
前記フラップ部は、
前記裏紙の封入口辺に向かう方向に沿って幅が広くなるように形成され、前記封筒の内側に折り曲げられることにより前記封筒内に収容される切開部と、
前記切開部よりも前記裏紙の封入口辺から離れて前記切開部に繋がって設けられ、前記表紙又は前記蓋部に設けられた引き出し口から前記封筒外に引き出されるつまみ部と、
を備えることを特徴とする封筒。
【請求項２】
請求項１記載の封筒であって、
前記フラップ部は、
前記つまみ部または前記切開部に繋がって設けられ、前記つまみ部側に折り曲げられて前記つまみ部と重なることにより前記つまみ部を補強する、又は、前記切開部側に折り曲げられて前記切開部側と重なることにより前記切開部を補強する補強部を備えることを特徴とする封筒。
【請求項３】
請求項１又は２に記載の封筒であって、前記切開部は折り畳まれて前記封筒内に収容されていることを特徴とする封筒。
【請求項４】
請求項１から３のいずれか一つに記載の封筒であって、前記切開部の最大幅は、前記裏紙の封入口辺の幅よりも小さいことを特徴とする封筒。
【請求項５】
封筒を開封する平板状の開封具であって、
前記封筒の表紙又は前記表紙に繋がって設けられた蓋部に設けられた引き出し口を介して、前記封筒内から前記封筒外に引き出されるつまみ部と、
前記つまみ部に繋がって設けられ、前記封筒内に収容され、前記つまみ部から離れる方向に沿って幅が広くなるように形成された切開部と、
を備えることを特徴とする開封具。
【請求項６】
請求項５記載の開封具であって、
前記つまみ部または前記切開部に繋がって設けられ、前記つまみ部側に折り曲げられて前記つまみ部と重なることにより前記つまみ部を補強する、又は、前記切開部側に折り曲げられて前記切開部側と重なることにより前記切開部を補強する補強部を備えることを特徴とする開封具。
【請求項７】
請求項５又は６に記載の開封具であって、前記切開部は折り畳まれて前記封筒内に収容されていることを特徴とする開封具。
【請求項８】
請求項５から７のいずれか一つに記載の開封具であって、前記切開部の、前記つまみ部が繋がった側と対向する側に繋がって設けられ、前記切開部の最大幅と等しい幅を有する延長部を備えることを特徴とする開封具。
【請求項９】
請求項５から８のいずれか一つに記載の開封具であって、前記封筒の内側に固定する固定手段を備えたことを特徴とする開封具。
【請求項１０】
包装材であって、
包装対象物を包装する際に互いに重ね合わせられる、重ね合わせ下層部および重ね合わせ上層部と、
前記重ね合わせ下層部に繋がって設けられたフラップ部と、
を備え、
前記フラップ部は、
前記重ね合わせ下層部に向かう方向に沿って幅が広くなるように形成され、前記重ね合わせ上層部に覆われる切開部と、
前記切開部よりも前記重ね合わせ下層部から離れて前記切開部に繋がって設けられ、前記重ね合わせ上層部に設けられた引き出し口から前記包装材の外表面に引き出されるつまみ部と、
を備えることを特徴とする包装材。
【請求項１１】
請求項１記載の封筒または請求項１０記載の包装材の展開図、または請求項５記載の開封具の平面図が印刷されていることを特徴とする、型紙。
【請求項１２】
請求項１記載の封筒または請求項１０記載の包装材の展開図、または請求項５記載の開封具の平面図が打ち抜かれていることを特徴とする、テンプレート板。
【請求項１３】
コンピュータに対して、請求項１記載の封筒または請求項１０記載の包装材の展開図、または、請求項５記載の開封具の平面図の印刷指令を出力させることを特徴とする、プログラム。
【発明の詳細な説明】
【技術分野】
【０００１】
本願発明は、封筒、封筒の開封具、包装材、封筒または開封具または包装材の型紙、封筒または開封具または包装材製作用のテンプレート板、封筒または開封具または包装材製作用のプログラムに関する。
【背景技術】
【０００２】
従来から、封筒を開封し易くするための様々な手段が提案されている。例えば従来の封筒においては、図５７のように封筒２０１にミシン目を入れ、そのミシン目に沿って封筒２０１を切断することで封筒２０１を開封している。図５７での開封操作は以下のようにして行われる。例えば、図５７（ａ）に示すように、封筒２０１を封緘する蓋パネル２０５の左端にはつまみ部２１０が設けられ、封筒２０１の開封の際にはつまみ部２１０をつまんでめくり上げていく。これによって蓋パネル２０５の左端が引き裂かれ、つまみ部２１０は引き裂き用ミシン目２０７の左端部２０７ａに繋がる。さらに、右手の親指２１３などでミシン目２０７に沿って蓋パネル２０５を引き裂いていくと、蓋パネル２０５の貼着部２０８と非貼着部２０９とがミシン目２０７に沿って分離される。これにより封筒２０１が開封される（図５７（ｂ））。
【先行技術文献】
【特許文献】
【０００３】
【特許文献１】特開２０００−３１３４４９号公報
【発明の概要】
【発明が解決しようとする課題】
【０００４】
従来の封筒２０１の開封に際しては、つまみ部２１０のめくり上げを慎重に行わないと、つまみ部２１０がミシン目２０７へうまく繋がらない可能性がある。したがって、つまみ部２１０をめくり上げる際には、蓋パネル２０５の左端部２０８ａを右手の親指２１２などで押さえ、丁寧につまみ部２１０をめくり上げる必要がある。
【０００５】
また、つまみ部２１０をミシン目２０７の左端部２０７ａと繋げることに成功しても、その後、蓋パネル２０５の引き裂き方によっては蓋パネル２０５の裂け目がミシン目２０７から外れて非貼着部２０９の方に曲がってしまい、封筒２０１の開封が不完全になる場合もある。従って、蓋パネル２０５をミシン目２０７に沿って引き裂いていくには、図５７に示すように右手の親指２１３などでミシン目２０７を押すようにして慎重に蓋パネル２０５を引き裂いていく必要がある。
【０００６】
このように、従来の封筒においては慎重な開封作業が求められることから、より開封の容易な封筒の提供が求められている。
【課題を解決するための手段】
【０００７】
本願発明は封筒に関するものである。封筒は、蓋部と、フラップ部とを備えている。蓋部は、表紙の封入口辺に繋がって設けられ、封筒の裏紙側に折り曲げられることにより封筒を封緘する。フラップ部は、裏紙の封入口辺に繋がって設けられ、切開部と、つまみ部とを備えている。切開部は、裏紙の封入口辺に向かう方向に沿って幅が広くなるように形成され、封筒の内側に折り曲げられることにより封筒内に収容される。つまみ部は、切開部よりも裏紙の封入口辺から離れて切開部に繋がって設けられ、表紙又は蓋部に設けられた引き出し口から封筒外に引き出される。
【０００８】
また、上記発明において、フラップ部は、つまみ部または切開部に繋がって設けられ、つまみ部側に折り曲げられてつまみ部と重なることによりつまみ部を補強する、又は、切開部側に折り曲げられて切開部側と重なることにより切開部を補強する補強部を備えることが好適である。
【０００９】
また、上記発明において、切開部は、複数回折り畳まれて封筒内に収容されていることが好適である。
【００１０】
また、上記発明において、切開部の最大幅は、裏紙の封入口辺の幅よりも小さいことが好適である。
【００１１】
また、本願発明は、封筒を開封する平板状の開封具に関するものである。開封具は、つまみ部と、切開部とを備える。つまみ部は、封筒の表紙又は表紙に繋がって設けられた蓋部に設けられた引き出し口を介して、封筒内から封筒外に引き出される。切開部は、つまみ部に繋がって設けられ、封筒内に収容され、つまみ部から離れる方向に沿って幅が広くなるように形成されている。
【００１２】
また、上記発明において、つまみ部または切開部に繋がって設けられ、つまみ部側に折り曲げられてつまみ部と重なることによりつまみ部を補強する、又は、切開部側に折り曲げられて切開部側と重なることにより切開部を補強する補強部を備えることが好適である。
【００１３】
また、上記発明において、切開部は、複数回折り畳まれて封筒内に収容されていることが好適である。
【００１４】
また、上記発明において、切開部の、つまみ部が繋がった側と対向する側に繋がって設けられ、切開部の最大幅と等しい幅を有する延長部を備えることが好適である。
【００１５】
また、上記発明において、封筒の内側に固定する固定手段を備えることが好適である。
【００１６】
また、本願発明は、包装材に関するものである。包装材は、包装対象物を包装する際に互いに重ね合わせられる、重ね合わせ下層部および重ね合わせ上層部と、重ね合わせ下層部に繋がって設けられたフラップ部と、を備える。フラップ部は、重ね合わせ下層部に向かう方向に沿って幅が広くなるように形成され、重ね合わせ上層部に覆われる切開部と、切開部よりも重ね合わせ下層部から離れて切開部に繋がって設けられ、重ね合わせ上層部に設けられた引き出し口から包装材の外表面に引き出されるつまみ部と、を備える。
【００１７】
また、本願発明は、上記発明に掛かる封筒または包装材の展開図、または上記発明に係る開封具の平面図が印刷されている型紙に関するものである。
【００１８】
また、本願発明は、上記発明に係る封筒または包装材の展開図、または、上記発明に係る開封具の平面図が打ち抜かれたテンプレート板に関するものである。
【００１９】
また、本願発明は、コンピュータに対して、上記発明に係る封筒または包装材の展開図、または、上記発明に係る開封具の平面図の印刷指令を出力させる、プログラムに関するものである。
【発明の効果】
【００２０】
本願発明によれば、従来よりも容易に封筒を開封することができる。また、従来よりも容易に包装材を開けることができる。
【図面の簡単な説明】
【００２１】
【図１】第１の実施形態に係る封筒の展開図である。
【図２】第１の実施形態に係る封筒の詳細な展開図である。
【図３】第１の実施形態に係る封筒の組み立て方を説明する図である。
【図４】第１の実施形態に係る封筒の組み立て方を説明する図である。
【図５】第１の実施形態に係る封筒の組み立て方を説明する図である。
【図６】第１の実施形態に係る封筒の組み立て方を説明する図である。
【図７】第１の実施形態に係る封筒の組み立て方を説明する図である。
【図８】第１の実施形態に係る封筒の組み立て方を説明する図である。
【図９】第１の実施形態に係る封筒の組み立て方を説明する図である。
【図１０】第１の実施形態に係る封筒の開封方法を説明する図である。
【図１１】第１の実施形態に係る封筒の開封方法を説明する図である。
【図１２】第１の実施形態に係る封筒の開封方法を説明する図である。
【図１３】第１の実施形態に係る封筒の開封方法を説明する図である。
【図１４】第１の実施形態に係る封筒の開封方法を説明する図である。
【図１５】第１の実施形態に係る封筒の開封方法を説明する図である。
【図１６】第１の実施形態に係る封筒の開封方法を説明する図である。
【図１７】第２の実施形態に係る封筒の展開図である。
【図１８】第２の実施形態に係る封筒の組み立て方を説明する図である。
【図１９】第２の実施形態に係る封筒の組み立て方を説明する図である。
【図２０】第３の実施形態に係る封筒の展開図である。
【図２１】第４の実施形態に係る封筒の展開図である。
【図２２】第４の実施形態に係る封筒の組み立て方を説明する図である。
【図２３】第４の実施形態に係る封筒の組み立て方を説明する図である。
【図２４】第４の実施形態に係る封筒の組み立て方を説明する図である。
【図２５】第５の実施形態に係る封筒の展開図である。
【図２６】第５の実施形態に係る封筒の組み立て方を説明する図である。
【図２７】第５の実施形態に係る封筒の組み立て方を説明する図である。
【図２８】第６の実施形態に係る封筒の組み立て方を説明する図である。
【図２９】第６の実施形態に係る封筒の組み立て方を説明する図である。
【図３０】第７の実施形態に係る開封具を例示する図である。
【図３１】第７の実施形態に係る開封具の組み立て方を説明する図である。
【図３２】第７の実施形態に係る開封具の組み立て方を説明する図である。
【図３３】第７の実施形態に係る開封具の組み立て方を説明する図である。
【図３４】第７の実施形態に係る開封具の組み立て方を説明する図である。
【図３５】第７の実施形態に係る開封具の組み立て方を説明する図である。
【図３６】第７の実施形態に係る開封具の組み立て方を説明する図である。
【図３７】第７の実施形態に係る開封具を封筒に取り付ける手順を説明する図である。
【図３８】第７の実施形態に係る開封具を取り付けた封筒の開封方法を説明する図である。
【図３９】第７の実施形態に係る開封具を取り付けた封筒の開封方法を説明する図である。
【図４０】第７の実施形態に係る開封具を取り付けた封筒の開封方法を説明する図である。
【図４１】第７の実施形態に係る開封具を取り付けた封筒の開封方法を説明する図である。
【図４２】第７の実施形態に係る開封具を取り付けた封筒の開封方法を説明する図である。
【図４３】第７の実施形態に係る開封具を取り付けた封筒の開封方法を説明する図である。
【図４４】第８の実施形態に係る開封具を例示する図である。
【図４５】第９の実施形態に係る開封具を例示する図である。
【図４６】第１０の実施形態に係る開封具を例示する図である。
【図４７】第１２の実施形態に係る開封具を例示する図である。
【図４８】第１３の実施形態に係る開封具を例示する図である。
【図４９】第１３の実施形態に係る開封具を収容した封筒の開封方法を説明する図である。
【図５０】第１３の実施形態に係る開封具を収容した封筒の開封方法を説明する図である。
【図５１】第１３の実施形態に係る開封具を収容した封筒の開封方法を説明する図である。
【図５２】第１４の実施形態に係る開封具を説明する図である。
【図５３】第１６の実施形態に係る包装材を説明する図である。
【図５４】第１６の実施形態に係る包装材の開け方を説明する図である。
【図５５】第１６の実施形態に係る包装材の開け方を説明する図である。
【図５６】第１６の実施形態に係る包装材の開け方を説明する図である。
【図５７】従来の封筒を例示する図である。
【発明を実施するための形態】
【００２２】
以下、本発明を実施するための形態について図面を参照して説明する。
【００２３】
（第１の実施形態）
図１に、本願発明に係る封筒１の展開図を例示する。本実施形態では封筒１は長方形の形状をしており、封筒の材質は例えば紙製である。封筒１は、郵便番号枠等が印刷された表紙１０と、裏紙１１とを備える。表紙１０と裏紙１１は繋がって形成され、両者の境界として中央折り曲げ辺２１が設けられている。
【００２４】
また、表紙１０の封入口辺２４には蓋部１０３が繋がって形成されている。蓋部１０３の形状は、図１に示すような台形形状であり、蓋部１０３は、表紙１０の封入口辺２４（下底）と、封入口辺２４に対向する上端辺２８（上底）と、封入口辺２４と上端辺２８とを結ぶように向かい合って形成された斜辺２９、２９とが形成されている。上端辺２８の幅は封入口辺２４より短く形成されている。また、斜辺２９、２９は封入口辺２４に対して鋭角をなしている。また、蓋部１０３には蓋部１０３を貫通する引き出し口１０４が形成されている。この引き出し口１０４は、封入口辺２４と沿う方向（平行）に延びて形成されている。図１においては、引き出し口１０４は、蓋部１０３の中央の位置に形成されているが、この位置に限られない。例えば封入口辺２４に引き出し口１０４を設けても良い。また、表紙１０の例えば郵便番号枠よりも封入口辺２４側に設けても良い。
【００２５】
さらに表紙１０には、蓋部１０３の他にも、側部糊しろ１０１と底部糊しろ１０２が繋がって形成されている。側部糊しろ１０１は表紙１０の側辺２２と繋がり、底部糊しろ１０２は表紙１０の底辺２３と繋がっている。
【００２６】
また、裏紙１１の封入口辺２５からはフラップ部３が繋がって形成されている。図２に示すように、フラップ部３はつまみ部３３６と切開部３１とを備える。切開部３１は裏紙１１の封入口辺２５に繋がって設けられ、つまみ部３３６は切開部３１よりも封入口辺２５から離れた位置に、切開部３１に繋がって設けられている。
【００２７】
さらにフラップ部３はつまみ部３３６に繋がる補強部３３ａ、３３ｂと、切開部３１に繋がる補強部３４ａ、３４ｂを備えている。また、図１の実施形態においては、つまみ部３３６は切開部３１に繋がる連結部３２を備えている。
【００２８】
図１に示すように、切開部３１は台形形状をなしており、裏紙１１の封入口辺２５側に向かう方向に沿って幅が広くなるように形成される。なお、切開部３１の幅とは、裏紙１１の封入口辺２５側に向かう方向とは直行する方向の長さを指すものとする。
【００２９】
切開部３１は、裏紙１１の封入口辺２５の一部からなる折り曲げ辺３１４（下底）と、折り曲げ辺３１４と対向する上端辺３２１（上底）と、折り曲げ辺３１４と上端辺３２１の端部を繋ぐ、互いに向かい合って形成された斜辺３１５ａ、３１５ｂと、で形成されている。なお、上端辺３２１は折り曲げ辺３１４と平行になるように形成されている。また、斜辺３１５ａ、３１５ｂは折り曲げ辺３１４に対して角度αで形成されている（図１及び図２参照）。
【００３０】
本実施形態では角度αは５０度であるが、鋭角であれば、特に５０度に限定されることはない。また、角度αは、封筒１の材質にもよるが、４８度以上９０度未満であることが好適である。さらに好適には４８度以上８０度以下であることがより好適である。４８度未満であると、後述するようにフラップ部３を封筒１の中から引き出す際に切断部３１に掛かる力が過大となって切断部３１が破損し易くなる。また、角度αが直角に近づくと、その分フラップ部３が長くなり封筒１への収容が困難になる。フラップ部３の収容を容易にするために、角度αを８０以下にすることが好適である。
【００３１】
切開部３１の一方の斜辺３１５ａから補強部３４ａが繋がって設けられ、また、他方の斜辺３１５ｂから補強部３４ｂが繋がって設けられている。補強部３４ａ、３４ｂは斜辺３１５ａ、３１５ｂを折り曲げ線として切開部３１側に折り曲げられることで切開部３１と重なり、これにより切開部３１の引っ張り強度が補強される。
【００３２】
本実施形態では、補強部３４ａは上端辺３１１、側辺３１２、斜辺３１５ａに囲まれた三角形の形状をしており、また、補強部３４ｂは、上端辺３１１、傾斜側辺３１３及び斜辺３１５ｂに囲まれた三角形の形状をしている。なお、補強部３４ａ、補強部３４ｂは三角形に限定されることはなく、斜辺３１５ａ、３１５ｂを中心に折り曲げて切開部３１と重なる折りしろとして形成されていればよい。
【００３３】
また、本実施形態では、補強部３４ａの側辺３１２の長さは、蓋部１０３の長さ（封入口辺２４から上端辺２８までの長さ）の２倍程度としているが、特に２倍に限定されない。そして、側辺３１２に対向する、補強部３４ｂの傾斜側辺３１３は、側辺３１２に対して傾斜して形成され、側辺３１２より長くなっている。つまり補強部３４ｂは補強部３４ａよりも面積が大きくなるように形成されている。補強部３４ｂを補強部３４ａより大きく形成することで、後述するように補強部３４ａと補強部３４ｂを切開部３１側に折り畳んだときに補強部３４ｂで補強部３４ａを押さえることができ、補強部３４ａのばたつき（折り畳んだ後に開くこと）を抑えることができる。
【００３４】
また、切開部３１の底辺である折り曲げ辺３１４は裏紙１１の封入口辺２５より短く形成されており、具体的には、図１に示すように、封入口辺２５の両端よりそれぞれＳだけ短く形成されている。本実施形態で示す封筒１ではＳは２〜３ｍｍが好ましく、本実施形態ではＳは２ｍｍとしてある。ただし、Ｓは２〜３ｍｍに限定されることなく、折り曲げ辺３１４は裏紙１１の封入口辺２５より短く形成されていればよい。切開部３１の底辺、従って切開部３１の最大幅を裏紙１１の封入口辺２５よりも短く形成することで、後述するようにフラップ部３を封筒１内部に容易に収容することができる。
【００３５】
また、図２に示すように、切開部３１の折り曲げ辺３１４と上端辺３２１との間には、後述するように切開部３１を蛇腹状に折り畳むための複数の折り曲げ辺３１６（３１６ａ、３１６ｂ、３１６ｃ、３１６ｄ）が形成されている。これらの折り曲げ辺３１６ａ〜ｄは、側辺３１２から傾斜側辺３１３にわたり、折り曲げ辺３１４及び上端辺３１１に平行に設けられている。なお、本実施形態では折り曲げ辺３１６ａ〜ｄはすべて等間隔に形成されているが、等間隔である必要はなく、各間隔の幅を異ならせることも可能である。
【００３６】
また、切開部３１の上端辺３２１からつまみ部３３６の連結部３２が繋がって形成されている。連結部３２は長方形形状をなしており、上端辺３２１の幅で上端辺３２１からほぼ垂直に伸びている。なお、本実施形態においては連結部３２は長方形の形状をなしているが、特に長方形の形状に限定されるものではない。また、連結部３２の、上端辺３２１から垂直方向の長さは、蓋部１０３の長さ（封入口辺２４から蓋部１０３の上端辺２８までの長さ）の１／２程度としているが、特に１／２に限定されない。
【００３７】
連結部３２は、図２に示すように、上端辺３２１に対してほぼ垂直な側辺３２２、３２２がつまみ部３３６まで延びている。つまみ部３３６は連結部３２との境界である折り曲げ辺３２３（底辺）と、折り曲げ辺３３４ａ、３３４ｂ（斜辺）からなる三角形の形状を有している。さらにつまみ部３３６の折り曲げ辺３３４ａ、３３４ｂから補強部３３ａ、３３ｂがそれぞれ繋がって形成されている。後述するように、補強部３３ａ、３３ｂをそれぞれ折り曲げ辺３３４ａ、３３４ｂからつまみ部３３６側に折り曲げることで、補強部３３ａ、３３ｂがつまみ部３３６と重なる。これによりつまみ部３３６の引っ張り強度が補強される。
【００３８】
つまみ部３３６、補強部３３ａ、３３ｂが形成された先端部３０は長方形形状をしており、つまみ部３３６の折り曲げ辺３２３を含み、裏紙１１の封入口辺２５と平行に延びる長辺３３１と、長辺３３１に対向する対向長辺３３２と、長辺３３１と対向長辺３３２の端部を結ぶ短辺３３３、３３３から形成されている。なお、本実施形態においては先端部３０は裏紙１１の封入口辺２５に沿う方向に長くなる横長の長方形形状をしているが、この形状に限られない。
【００３９】
また、本実施形態においては、図２に示すように、つまみ部３３６を中心に、補強部３３ａ側を長く、他方の補強部３３ｂ側を短くするように補強部３３ａ、３３ｂが形成されている。具体的には、一方の補強部３３ａ側と他方の補強部３３ｂ側とを３：１となるような位置につまみ部３３６を形成しているが、特に３：１となるような位置につまみ部３３６を形成することに限定されない。また、補強部３３ａ、３３ｂは、一方が他方より長くなければならないものではなく、つまみ部３３６を中心に一方の補強部３３ａの長さと他方の補強部３３ｂの長さを同じにすることも可能である。また、本実施形態における補強部３３ａ、３３ｂの短辺３３３の長さは、本実施形態では連結部３２の長さ（上端辺３２１から折り曲げ辺３２３までの長さ）の約２倍としているが、特に２倍に限定されない。
【００４０】
また、本実施形態では、つまみ部３３６の形状を直角二等辺三角形としている。すなわち、つまみ部３３６と補強部３３ａ、３３ｂとの境界である折り曲げ辺３３４ａ、３３４ｂ（斜辺）の、折り曲げ辺３２３（底辺）に対する角度βは４５度としている。
【００４１】
また、本実施形態においては、切開部３１の折り曲げ辺３１４の長さが９ｃｍであり、折り曲げ辺３１４から切開部３１の上端辺３２１までの長さが５ｃｍである。また、上端辺３２１の長さが２．８ｃｍであり、連結部３２の側辺３２２の長さが０．７ｃｍである。さらに、つまみ部３３６おける、折り曲げ辺３２３から後述する頂点３３８（図４（ｂ））までの長さは１．３ｃｍとなっている。また、本実施形態においては、封筒１の大きさが、長手方向で１９ｃｍ程度、長手方向に対する横断方向で９．４ｃｍ程度の場合の一例である。ただし、本願発明は本実施形態での各部の大きさに限定されるものではない。例えば封筒１の大きさが変わればそれに応じてフラップ部３の大きさも変わる。
【００４２】
つぎに、本実施形態における封筒１の組み立て方について説明する。
【００４３】
まず、表紙１０と裏紙１１の一方を他方側に折り曲げる。例えば図３に示すように、中央折り曲げ辺２１を中心にして裏紙１１を表紙１０側に折り曲げる。このとき、裏紙１１を表紙１０に当接させるまで折り曲げずに、表紙１０と裏紙１１との成す角を、図３に示すように、鋭角、或いは直角の状態にする。
【００４４】
次に、補強部３３ａ、３３ｂをつまみ部３３６に対して折りたたむ。図４（ａ）に示すように、初めに短い方の補強部３３ｂを折り曲げ辺３３４ａに沿って折り曲げる。補強部３３ｂを折り曲げ辺３３４ａに沿って折り曲げると、補強部３３ｂはつまみ部３３６及び連結部３２に重なる。さらに補強部３３ｂは補強部３３ａと直角に交差する。補強部３３ｂ側を折り曲げることで、対向長辺３３２、上端辺３２１（点線）及び折り曲げ辺３３４ａにより囲まれた直角二等辺三角形３３５が形成される。さらに、補強部３３ｂの短辺３３３は切開部３１に重なる。なお、補強部３３ｂは必ずしも切開部３１に重ならなくてもよく、少なくとも補強部３３ｂと連結部３２とが重なり合っていればよい。
【００４５】
次に、長い方の補強部３３ａを折り曲げ辺３３４ｂに沿って折り曲げる。補強部３３ａを折り曲げ辺３３４ｂに沿って折り曲げることで、直角二等辺三角形３３５が半分に折り曲げられる。折り曲げ辺３３４ｂは折り曲げ辺３３４ａの中心と交差し、折り曲げ辺３３４ｂと折り曲げ辺３３４ａとは直交している。折り曲げ辺３３４ｂに沿って補強部３３ａを折り曲げると、直角二等辺三角形３３５が半分に折り曲げられて直角二等辺三角形３３５同士が重なり合う。図４（ｂ）に示すように、この重なった部分がつまみ部３３６となる。つまみ部３３６は、折り曲げ辺３２１、３３４ａ、３３４ｂで囲まれ、折り曲げ辺３２１を底辺とし、折り曲げ辺３３４ａと３３４ｂとの交点が頂点３３８となる。
【００４６】
そして、補強部３３ａは他方の補強部３３ｂの上に重なる。さらに図４（ｂ）に示すように、補強部３３ａの短辺３３３側は切開部３１を越えて裏紙１１まで到達する。本実施形態では、補強部３３ａの短辺３３３は裏紙１１に重なっているが、必ずしも裏紙１１に重ならなくてもよく、補強部３３ａの短辺３３３が切開部３１の折り曲げ辺３１４と一致してもよい。また、補強部３３ａの短辺３３３が切開部３１の折り曲げ辺３１４に到達しない長さであってもよい。例えば、長い方の補強部３３ａを折り曲げた際に、補強部３３ａの短辺３３３は切開部３１の上端辺３２１と重なり合える長さであってもよい。
【００４７】
つぎに、切開部３１の両端にある補強部３４ａ、３４ｂを折り曲げる。図５（ａ）に示すように、上端辺３１１と側辺３１２で囲まれた補強部３４ａを斜辺３１５ａに沿って（折り曲げ辺３１４に対して角度αで）切開部３１側に折り曲げる。補強部３４ａを折り曲げると、補強部３４ａは、切開部３１だけではなく補強部３３ａ、３３ｂに重なる。なお、補強部３４ａは補強部３３ａ、３３ｂ内に収まる、つまり、補強部３４ａの頂点は、補強部３３ａ、３３ｂの対向長辺３３２と長辺３３１との間に収まる。
【００４８】
なお、本実施形態では、折り曲げられた補強部３４ａは補強部３３ａ、３３ｂ内に収まっているが、補強部３３ａ、３３ｂ内に収まる必要はなく、補強部３４ａが長辺３３１を越えて切開部３１に載ってもよく、また、補強部３４ａが切開部３１に重なるだけで補強部３３ａ、３３ｂに到達しなくてもよい。
【００４９】
つぎに、図５（ｂ）に示すように、上端辺３１１と傾斜側辺３１３で囲まれた補強部３４ｂを斜辺３１５ｂから切開部３１に向かって折り曲げる。補強部３４ｂを折り曲げると、補強部３４ｂは、切開部３１だけではなく補強部３３ａ、３３ｂ、及び補強部３４ａに重なる。したがって、補強部３４ａが補強部３３ａ、３３ｂ、３４ａを押さえる状態になる。このような状態になることで、補強部３３ａ、３３ｂ、３４ａのばたつきを抑える事ができる。また、補強部３４ｂを折りたたんだ後に、補強部３４ｂに粘着テープ等を貼着し、補強部３３ａ、３３ｂ、３４ａ、３４ｂのばたつきを抑えるようにしてもよい。
【００５０】
次に、切開部３１を蛇腹状に折り畳む。図６（ａ）に示すように、切開部３１を折り曲げ辺３１４から裏紙１１の内面側、つまり、封筒１を形成したときに封筒１の内面となる面に向かって折り曲げる（谷折り）。なお、図６（ａ）では、裏紙１１より図面手前側に位置する表紙１０を破線で示している。
【００５１】
さらに、図６（ｂ）に示すように、切開部３１の折り曲げ辺３１６ａからつまみ部３３６の頂点３３８までの部分を裏紙１１の内面側とは逆側に折り返す（山折り）。次に、図７（ａ）に示すように、切開部３１の折り曲げ辺３１６ｂからつまみ部３３６の頂点３３８までの部分を、裏紙１１の内面側に向かって折り曲げる（谷折り）。さらに、図７（ｂ）に示すように、切開部３１の折り曲げ辺３１６ｃからつまみ部３３６の頂点３３８までの部分を、裏紙１１の内面側とは逆側に折り返す（山折り）。
【００５２】
次に、図８（ａ）及び図８（ａ）のＡ−Ａ断面図である図８（ｂ）に示すように、切開部３１の折り曲げ辺３１６ｄからつまみ部の頂点３３８までの部分を、裏紙１１の外側、つまり、封筒１を形成したときに封筒１の外面となる面に向かって折り曲げる（山折り）。
【００５３】
以上のように、折り曲げ辺３１６ａ〜ｄに沿って切開部３１の山折りと谷折りを繰り返すことで、切開部３１に蛇腹部３５が形成される。この蛇腹部３５は封筒１の内側に形成され、一方で、切開部３１の折り曲げ辺３１６ｄからつまみ部３３６までの部分は、図８（ｃ）に示す様に封筒１の外側に表われる。
【００５４】
さらに、図９（ａ）に示すように、つまみ部３３６を、つまみ部３３６の折り曲げ辺３２３から裏紙１１とは逆側に折り曲げて（谷折り）つまみ部３３６を裏紙１１に対して立たせる。そして、図９（ｂ）に示すように、表紙１０を裏紙１１と向かい合うように中央折り曲げ辺２１からＢ方向に折り畳む。さらに側部糊しろ１０１及び端部糊しろ１０２に接着剤を塗布し、裏紙１１側に折り曲げる。その結果、図９（ｃ）に示すように、表紙１０の封入口辺２４と裏紙の封入口辺２５を除いた表紙１０および裏紙１１の各辺が連結された封筒１が完成する。そして、切開部３１の折り曲げ辺３１６ｄからつまみ部３３６の頂点３３８までの部分が封筒１の外側に表われる。
【００５５】
図９（ｃ）のＡ−Ａ断面を図１０に示す。図１０（ａ）に示すように、蓋部１０３を封入口辺２４から裏紙１１に向かって折り曲げる。蓋部１０３を折り曲げると、蓋部１０３は切開部３１の折り曲げ辺３１６ｄからつまみ部３３６の頂点３３８までの部分を被う状態になる。そして、図１０（ｂ）に示すように、つまみ部３３６を蓋部１０３の引き出し口１０４から引き出す。
【００５６】
そして、図１０（ｃ）に示すように、蓋部１０３の、封入口辺２４から引き出し口１０４までの部分を切開部３１の折り曲げ辺３１６ｄからつまみ部３３６の折り曲げ辺３２３までの部分に当接させる。このとき、蓋部１０３の引き出し口１０４から上端辺２８までの部分は裏紙１１に当接する。
【００５７】
本実施形態においては、蓋部１０３の、裏紙１１と接する部分には接着剤が塗布されている。一方、蓋部１０３の、切開部３１及びつまみ部３３６と接する部分には接着剤は塗布していない。従って、蓋部１０３を裏紙１１に貼着した時に、つまみ部３３６は蓋部１０３には貼着されない。これにより後述するように封筒１の開封の際にフラップ部３が蓋部１０３に引っ張られて封筒１の開封が妨げられたり、フラップ部３が破損することが避けられる。
【００５８】
蓋部１０３を裏紙１１に貼着した状態を図１１（ａ）、（ｂ）に示す。つまみ部３３６は蓋部１０３の引き出し口１０４から突出する。図１１（ｂ）に示すように、つまみ部３３６は蓋部１０３から突出しているために容易に摘むことが可能になる。
【００５９】
また、図１１（ｂ）に示すように、フラップ部３を複数回折り畳んで蛇腹状にすることにより、フラップ部３の、封筒１の長手方向の幅は、蓋部１０３の幅以下となる。このようにフラップ部３が封筒１内にコンパクトに収容されていることによって、後述する封筒１の開封の際に、フラップ部３の引き抜きを容易に行うことができる。すなわち、封筒１の開封の際には片方の手でつまみ部３３６をつまみ、他方の手で封筒１を押さえる。このとき、封筒１を押さえる手が同時に封筒１内のフラップ部３まで押さえてしまうとフラップ部３を封筒１の外に引き抜くことができなくなる。フラップ部３を蛇腹状に折り畳んでコンパクトに封筒１内に収容することにより、封筒１を押さえる手がフラップ部３まで押さえこんでしまうことを防ぐことができる。
【００６０】
なお、以上の説明では、予めフラップ部３を裏紙１１の内面側に折り畳んだのちに封筒１の表紙１０と裏紙１１とを貼り合わせていたが、表紙１０と裏紙１１とを貼り合わせて袋体を形成した後にフラップ部３を封筒内部に収容させてもよい。上述したように、切開部３１の折り曲げ辺３１４は裏紙１１の封入口辺２５の両端から所定の長さだけ短く形成されている。したがって、袋体を形成した後にフラップ部３を封筒１内に収容する場合であっても、封入口辺２４、２５に引っ掛かることなく、容易にフラップ部３を封筒１内部に折り畳むことができる。
【００６１】
以上のようにして組み立てられた、本発明である封筒１の開封の仕方について以下で説明する。
【００６２】
図１１（ａ）、（ｂ）に示すように、蓋部１０３の引き出し口１０４から突出したつまみ部３３６を、裏面１１と平行で、かつ、封筒１から離れる方向（矢印Ｅ方向）へ引っ張る。つまみ部３３６を引っ張ることで、蓋部１０３は引き出し口１０４から破れる（図１２（ａ）、（ｂ））。
【００６３】
さらにつまみ部３３６を引っ張ると、図１３（ａ）、（ｂ）に示すように、切開部３１の折り曲げ辺３１６ｄから折り曲げ辺３１６ｃまでの部分が封入口辺２４を破りながら封筒１の外側に移動する。このとき、切開部３１の、折り曲げ辺３１６ｄから折り曲げ辺３１６ｃまでの部分の斜辺３１５ａ、３１５ｂに沿って、封入口辺２４の切断口が拡げられる。
【００６４】
そして、折り曲げ辺３１６ｄから折り曲げ辺３１６ｃまでの部分の移動に伴って、折り畳まれていた折り曲げ辺３１６ｃから折り曲げ辺３１６ｂまでの部分は引っ張られ、折り畳んだ状態から開いた状態に移行する（図１３（ｂ）参照）。このとき、折り曲げ辺３１６ｃから折り曲げ辺３１６ｂまでの部分は封入口辺２４を破りながら封筒１の外側に移動する。これに伴い、折り曲げ辺３１６ｄから折り曲げ辺３１６ｃまでの部分の斜辺３１５ａ、３１５ｂに沿って、封入口辺２４の切断口が拡げられる（図１４（ａ）、（ｂ）参照）。
【００６５】
さらにつまみ部３３６を引っ張ると、図１５（ａ）、（ｂ）に示すように、切開部３１の折り曲げ辺３１６ｂから折り曲げ辺３１６ａまでの部分が封入口辺２４を破りながら封筒１の外側に移動する。このとき、折り曲げ辺３１６ｂから折り曲げ辺３１６ａまでの部分の斜辺３１５ａ、３１５ｂに沿って、封入口辺２４の切断口が拡げられる。
【００６６】
そして、折り曲げ辺３１６ｂから折り曲げ辺３１６ａまでの部分の移動に伴って、折り畳まれていた折り曲げ辺３１６ａから折り曲げ辺３１４までの部分は引っ張られ、折り畳んだ状態から開いた状態に移行する（図１５（ｂ）参照）。このとき、折り曲げ辺３１６ａから折り曲げ辺３１４までの部分は封入口辺２４を破りながら封筒１の外側に移動する。これに伴い、折り曲げ辺３１６ａから折り曲げ辺３１４までの部分の斜辺３１５ａ、３１５ｂに沿って、封入口辺２４の切断口が拡げられる（図１６（ａ）、（ｂ）参照）。以上の動作を経て、切開部３１の全領域が封筒１の外に引き出され（図１６（ａ）（ｂ）参照）、封入口辺２４の切断口は切開部３１の折り曲げ部３１４の幅まで拡げられる。
【００６７】
このように、本実施形態における封筒においては、つまみ部３３６を引っ張ることによって、切開部３１が封筒１の内側から蓋部１０３の封入口辺２４を破り、破ってできた切断口を切開部３１を引っ張ることにより拡げる。切断口が切開部３１の折り曲げ辺３１４の幅まで拡げられることで、封筒が開封される。つまみ部３３６を引っ張るのみという単純な作業で封筒を開封できることから、従来よりも容易に封筒を開封することができる。
【００６８】
なお、上記実施形態におけるフラップ部３は補強部３４ａ、３４ｂ、３３ａ、３３ｂを備えていたが、つまみ部３３６や切開部３１の引っ張り強度が蓋部１０３や表紙１０の引っ張り強度と同等以上であれば蓋部１０３を切断できることから、補強部３４ａ、３４ｂ、３３ａ、３３ｂを省略しても良い。また、補強部３４ａ、３４ｂのみを設けて補強部３３ａ、３３ｂを省略したり、補強部３３ａ、３３ｂのみを設けて補強部３４ａ、３４ｂを省略してもよい。
【００６９】
（第２の実施形態）
上述した実施形態においては、切開部３１の幅の拡がり方、つまり、斜辺３１５ａ、３１５ｂの折り曲げ辺３１４に対する角度が一定であったが、斜辺３１５ａ、３１５ｂの角度は一定である必要はなく、斜辺３１５ａ、３１５ｂの途中から角度が変化する形状を採ることも可能である。
【００７０】
例えば、図１７に示すように、折り曲げ辺３１４から折り曲げ辺３１６ｂまでの斜辺３１５ａ、３１５ｂの、折り曲げ辺３１４に対する角度をαとし、また、折り曲げ辺３１６ｂから折り曲げ辺３１６ｃまでの斜辺３１５ａ、３１５ｂの角度をγ（≠α）とし、折り曲げ辺３１６ｃから上端辺３２１までの斜辺３１５ａ、３１５ｂの角度をη（≠α、≠γ）とする形状としてもよい。
【００７１】
この場合、補強部３４に形成された折り曲げ辺３１６ｂ、３１６ｃは、実線で示すように切開部３１に到達するまで切り込まれている。この２本の切込みによって補強部３４ａ、３４ｂはそれぞれ３つの部分に分割される。すなわち、折り曲げ辺３１４から折り曲げ辺３１６ａまでの部分、折り曲げ辺３１６ａから折り曲げ辺３１６ｃまでの部分、折り曲げ辺３１６ｃから上端辺３１１までの部分、の３つの部分に分割される。
【００７２】
このような補強部３４の折り曲げ方について、以下に説明する。なお、つまみ部３３６に接続する補強部３３ａと補強部３３ｂの折り曲げ方は上述した第１の実施形態と同様であるため省略する。まず、図１８に示すように折り曲げ辺３１６ｂから折り曲げ辺３１６ｃまでの補強部３４ａ、３４ｂを、角度γの斜辺３１５ａ、３１５ｂを折り線として切開部３１側に折り曲げる。
【００７３】
つぎに、図１９（ａ）に示すように折り曲げ辺３１６ｃから上端辺３１１までの補強部３４ａ、３４ｂを、角度ηの斜辺３１５ｃ、３１５ｄを折り線として切開部３１側に折り曲げる。さらに、図１９（ｂ）に示すように折り曲げ辺３１４から折り曲げ辺３１６ｂまでの補強部３４ａ、３４ｂを、角度αの斜辺３１５ｅ、３１５ｆを折り線として切開部３１側に折り曲げる。以下、第１の実施形態と同様にして切開部３１を蛇腹状に折り畳む。
【００７４】
（第３の実施形態）
また、第１、第２の実施形態に示した切開部３１は１個の部材として示されていたが、フラップ部３に複数個形成されていても良い。例えば図２０に示されているように、裏紙１１の封入口辺２５に向かう方向に沿って幅が狭くなるくびれ部５３を挟んで、第１の切開部５１ａと第２の切開部５１ｂを設けても良い。
【００７５】
（第４の実施形態）
また、第１から第３の実施形態に示したつまみ部３３６は連結部３２を備えていたが、この連結部３２を省略しても良い。以下では連結部３２を省略したフラップ部８の構成と、そのフラップ部８の封筒１への組立方法について説明する。
【００７６】
図２１に示すように、裏紙１１の封入口辺２５からフラップ部８が設けられている。フラップ部８は切開部３１とつまみ部３３６を備えている。また、切開部３１には補強部３４が繋がって形成され、つまみ部３３６には補強部３３が形成されている。
【００７７】
つまみ部３３６は切開部３１と直接繋がっており、連結部が省略されている。つまみ部３３６と切開部３１との境目にはつまみ部３３６の折り曲げ辺３３１ｃが形成されている。なお、補強部３４と補強部３３は隣り合っているが、図２１で実線で示すように、折り曲げ辺３３１ｃの部分を除いて両者は切断されている。
【００７８】
つぎに、本実施形態における封筒１の組み立て方について説明する。第１の実施形態と同様に、短い方の補強部３３ｂを折り曲げ辺３３４ａに沿って折り曲げ（図２２（ａ））、その後に長い方の補強部３３ａ側を折り曲げ辺３３４ｂに沿って折り曲げる（図２２（ｂ））。これにより補強部３３ａと補強部３３ｂとが重なる。次に切開部３１に繋がって設けられた補強部３４ａを切開部３１側に折り曲げ（図２３（ａ））、その後補強部３４ｂを切開部３１側に折り曲げる（図２３（ｂ））。
【００７９】
以上のようにして、補強部３３、３４を折り曲げた後は、第１の実施形態と同様に切開部３１を折り曲げ辺３１４から裏紙１１側に折り曲げ、さらに切開部３１を複数回折り畳むことによって蛇腹状にし、切開部３１の折り曲げ辺３１６ｄからつまみ部３３６の頂点３３８までの部分を裏紙１１の外表面側に折り返す。さらに表紙１０の蓋部１０３を裏紙１１側に折り曲げ、蓋部１０３に設けられた引き出し口１０４からつまみ部３３６を引き出す（図２４）。以下、封筒１の開封手順は第１の実施形態と同様である。
【００８０】
（第５の実施形態）
なお、第１から第４の実施形態ではつまみ部３３６を直角二等辺三角形の形状としていたが、これに代えて、長方形の形状としても良い。図２５では、図２１と同様に、つまみ部３３６は切開部３１と直接繋がっており、連結部が省略されている。つまみ部３３６と切開部３１との境目にはつまみ部３３６の折り曲げ辺３３１ｃが形成されている。なお、補強部３４と補強部３３は隣り合っているが、図２５で実線で示すように、折り曲げ辺３３１ｃの部分を除いて両者は切断されている。
【００８１】
また、つまみ部３３６と補強部３３ａ、３３ｂとの境目には折り曲げ辺３３９が形成されている。また、補強部３３ａ、３３ｂにはそれぞれさらにもう一つの折り曲げ辺３３０が設けられている。折り曲げ辺３３９、３３９は、図２５に示すように、つまみ部３３６の底辺となる折り曲げ辺３３１ｃに対して垂直に長辺３３１から対向長辺３３２まで形成されている。折り曲げ辺３３９と対向長辺３３２との交点から長辺３３１に向かって折り曲げ辺３３０、３３０が形成されている。折り曲げ辺３３０、３３０は、図２５に示すように、長辺３３１に対して傾斜して形成されている。なお、折り曲げ辺３３０、折り曲げ辺３３９、長辺３３１で囲まれた部分は直角二等辺三角形の形状となる。すなわち、折り曲げ辺３３０と長辺３３１との交点から、折り曲げ辺３３９と長辺３３１との交点までの距離は、折り曲げ辺３３９の長さに等しくなるように形成されている。
【００８２】
つぎに、本実施形態における封筒１の組み立て方について説明する。本実施形態においては、補強部３３ａ、３３ｂの折り曲げ方以外は第４の実施形態と同様であるので、補強部３３ａ、３３ｂの折り曲げ方のみを説明する。
【００８３】
図２６（ａ）に示すように、はじめに短い方の補強部３３ｂを折り曲げ辺３３０に沿って折り曲げる。補強部３３ｂ側を折り曲げることで、補強部３３ｂの短辺３３３側が補強部３４及び切開部３１に重なる。なお、補強部３３ｂの短辺３３３側は補強部３４に必ずしも重ならなくてもよい。
【００８４】
つぎに、長い方の補強部３３ａを、折り曲げ辺３３０に沿って折り曲げる。図２６（ａ）に示すように、補強部３３ａを折り曲げることで、補強部３３ａ側の短辺３３３側が切開部３１及び補強部３４に重なる。なお、補強部３３ａの長さは切開部３１の底辺となる折り曲げ辺３１４と一致する長さとなっているが、必ずしもそのような長さでなくても良い。
【００８５】
つぎに、短い方の補強部３３ｂを折り曲げ辺３３９に沿ってつまみ部３３６側に折り曲げ（谷折り）、補強部３３ｂをつまみ部３３６および切開部３１の一部と重ねる（図２６（ｂ））。なお、補強部３３ｂは、図２６（ｂ）に示すように、裏紙１１の内面側（封筒１を組み立てた際に内面となる側）に折り曲げられる。
【００８６】
次に、長い方の補強部３３ａを折り曲げ辺３３９に沿ってつまみ部３３６側に折り曲げ（谷折り）、補強部３３ａをつまみ部３３６および切開部３１と重ねる（図２７）。なお、補強部３３ａも、裏紙１１の外表面側に折り曲げられる。以下、切開部３１に接続された補強部３４の折り曲げ方や切開部３１の封筒１内への収容の方法は第１の実施形態と同様である。
【００８７】
（第６の実施形態）
また、第１から第５の実施形態に示した切開部３１は複数回折り返して蛇腹状に形成していたが、折り返しの回数を１回にしても良い。図２８（ａ）、（ｂ）に示すように、フラップ部３全体（折り曲げ辺３１４からつまみ部３３６の頂点３３８まで）を裏紙１１の外表面側に折る。さらに切開部３１の折り曲げ辺３１６ｄからつまみ部３３６の頂点３３８までの部分を折り曲げ辺３１６ｄに沿って切開部３１側に折り曲げる（谷折り）。
【００８８】
そして、第１の実施形態と同様に、蓋部１０３を裏紙１１側に折り、蓋部１０３の引き出し口１０４からつまみ部３３６を引き出す（図２９（ａ）、（ｂ）参照）。なお、この場合において、蓋部１０３は折り畳まれたフラップ部３の長さ（切開部３１の折り曲げ辺３１４から折り曲げ辺３１６ｄまでの長さ）よりも長くなるように形成され、蓋部１０３が切開部３１を被うことができるように構成されている。
【００８９】
（第７の実施形態）
上述した第１から第６の実施形態では、フラップ部３が封筒１と一体となって構成されていたが、フラップ部３は必ずしも封筒と一体である必要はなく、封筒から分離された独立の開封具として構成することも可能である。以下では封筒と独立した開封具５の構成と、その開封具５の封筒への組立方法及び使用方法について説明する。
【００９０】
開封具５は、図３０に示すように、切開部５１、つまみ部５３６を備えている。つまみ部５３６は、切開部５１に繋がる連結部５２を備えている。
【００９１】
開封具５は取り付けられる封筒の紙厚の２倍程度の硬質紙の部材で形成されている。なお、封筒４より硬い材質であれば紙製に限定されることはなく、プラスチック製等の部材でもよい。また、開封具５を取り付けられる封筒と同じ紙材、紙厚で形成し、切開部５１またはつまみ部５３６に上述したような補強部３３ａ、３３ｂ、３４ａ、３４ｂを設けて引っ張り強度を補強するようにしても良い。
【００９２】
切開部５１は台形形状をなしており、切開部５１は、底辺５１４と、折り曲げ辺５２１（上底）と、底辺５１４と折り曲げ辺５２１の端部を結ぶ斜辺５１５ａ、５１５ｂを備えている。底辺５１４と折り曲げ辺５２１は、開封具５を封筒に取り付けたときに、封筒の封入口辺と平行となるように形成されている。また、底辺５１４は折り曲げ辺５２１よりも長く形成され、斜辺５１５ａ、５１５ｂは、底辺５１４の両端部より向かい合って底辺５１４に対して鋭角の角度αで傾斜している。すなわち、切開部５１は、つまみ部５３６から離れる方向に沿って幅が広がるように形成されている。なお、本実施形態では角度αは５０度であるが、鋭角であれば、特に５０度に限定されることはない。
【００９３】
また、底辺５１４と折り曲げ辺５２１との間には、底辺５１４及び折り曲げ辺５２１に平行に複数の折り曲げ辺５１６（５１６ａ、５１６ｂ、５１６ｃ、５１６ｄ）が形成されている。これら折り曲げ辺５１６（５１６ａ、５１６ｂ、５１６ｃ、５１６ｄ）を底辺５１４と平行に折り曲げ辺５１６（５１６ａ、５１６ｂ、５１６ｃ、５１６ｄ）に沿って折り曲げることで蛇腹部５５（図３４）が形成される。なお、本実施形態では、切開部５１内の四箇所に等間隔で折り曲げ辺５１６が形成されているが、四箇所に限定されることなく、四箇所より多くすることも少なくすることも可能である。
【００９４】
また、切開部５１の上底である折り曲げ辺５２１から連結部５２が接続されている。連結部５２は、図３０に示すように、折り曲げ辺５２１に対して垂直に側辺５２２、５２２が形成されてつまみ部５３６へ伸びている。本実施形態では、図３０に示すように、連結部５２は長方形の形状をなしているが、特に長方形の形状に限定されるものではない。また、上述した第４、５の実施形態と同様に、連結部５２を省略し、切開部５１とつまみ部５３６とを直接繋いでもよい。
【００９５】
開封具５の先端部であるつまみ部５３６は、連結部５２と繋がって形成され、連結部５２との接続部である折り曲げ辺５２３と、折り曲げ辺５２３に対して鋭角である角度βで傾斜した斜辺５３４ａ、５３４ｂで形成されている。本実施形態では角度βは４５度であるが、鋭角であれば、特に４５度に限定されることはない。本実施形態では、つまみ部５３６は、斜辺５３４ａ、５３４ｂ及び折り曲げ辺５２３で囲まれた直角二等辺三角形片であり、折り曲げ辺５２３を底辺とし、斜辺５３４ａ、５３４ｂの交点が頂点５３８を形成している。本実施形態では、つまみ部５３６は直角二等辺三角形の形状をなしているが、特に直角二等辺三角形の形状に限定されるものではなく、二等辺三角形であっても四角形の形状であってもよく、基本的には容易に指でつまむことのできる形状であればつまみ部５３６の形状は限定されるものではない。
【００９６】
本実施形態での開封具５の大きさは、第１の実施形態におけるフラップ部３の大きさと等しく、切開部５１の底辺５１４の長さが９ｃｍであり、底辺５１４から折り曲げ辺５２１までの長さが５ｃｍである。また、連結部５２における、折り曲げ辺５２１の長さが２．８ｃｍであり、側辺５２２の長さが０．７ｃｍである。さらに、つまみ部５３６における、折り曲げ辺５２３から頂点５３８までの長さは１．３ｃｍとなっている。本実施形態での開封具５の大きさは、開封具５が取り付けられる封筒の大きさが、長手方向で１９ｃｍ程度、長手方向に対する横断方向で９．４ｃｍ程度の場合の一例であり、本実施形態での開封具５の大きさに限定されるものではない。特に、封筒の大きさが変わればそれに応じて開封具５の大きさも変わることになる。
【００９７】
つぎに、本実施形態での開封具５の封筒への取り付け方について説明する。
【００９８】
開封具５を封筒に取り付ける際には、開封具５を数回折り畳んだ蛇腹形状にする。まず、図３１（ａ）に示すように、切開部５１の、底辺５１４から折り曲げ辺５１６ａまでの部分を、折り曲げ辺５１６ａに沿って、切開部５１側に（矢印Ｆ方向に）折り曲げる。つぎに、折り曲げ辺５１６ａから折り曲げ辺５１６ｂまでの部分を、図３２（ａ）に示すように、折り曲げ辺５１６ｂに沿って、切開部５１側に（矢印Ｇ方向に）折り曲げる。さらに、切開部５１の、折り曲げ辺５１６ｂから折り曲げ辺５１６ｃまでの部分を、図３３（ａ）に示すように、折り曲げ辺５１６ｃに沿って、切開部５１側に（矢印Ｈ方向）折り曲げる。
【００９９】
つぎに、切開部５１の折り曲げ辺５１６ｄからつまみ部５３６までの部分を、図３４（ａ）に示すように、折り曲げ辺５１６ｄに沿って、切開部５１を矢印Ｉ方向に折り曲げる。以上のように切開部５１を複数回折り曲げることで、切開部５１には蛇腹部５５が形成される。
【０１００】
そして、図３５（ａ）に示すように、つまみ部５３６を折り曲げ辺５２３に沿って、矢印Ｊ方向に折り曲げる。このとき、図３５（ｂ）を矢印Ａ方向から見た平面図である図３５（ｃ）に示すように、つまみ部５３６は、連結部５２に対して折り曲げられた状態になる。なお、つまみ部５３６は連結部５２に重なる（折り畳まれた）のではなく、連結部５２と鋭角をなして連結部５２からある程度起立する（図３５（ｂ））。
【０１０１】
つぎに、本実施形態における開封具５の封筒４へ組み込みについて説明する。
【０１０２】
図３６（ａ）に示すように、裏紙１１の封入口辺２５に蛇腹部５５を引っ掛けて開封具５を封筒に対して固定させる。具体的には、切開部５１の折り曲げ辺５１６ｄを封入口辺２５上に載せる。これにより、折り曲げ辺５１６ｄからつまみ部５３６の頂点５３８までの部分は、封筒４の外側に露出し、折り曲げ辺５１６ｄから底辺５１４までの部分は封筒４の内部に収容される。
【０１０３】
そして、図３６（ｂ）、（ｃ）に示すように、封筒４の表紙１０の側部糊しろ１０１及び底部糊しろ１０２に接着剤を塗布し、側部糊しろ１０１及び底部糊しろ１０２を裏紙１１に貼着する。そして、図３７（ａ）に示すように、表紙１０に繋がって設けられた蓋部１０３を封入口辺２４から裏紙１１側に折り曲げる。蓋部１０３を折り曲げると、蓋部１０３は開封具５の切開部５１の、折り曲げ辺５１６ｄから頂点５３８までの部分を被う状態になる。さらに図３７（ｂ）に示すように、開封具５のつまみ部５３６を、蓋部１０３の引き出し口１０４から引き出す。
【０１０４】
さらに、図３７（ｃ）に示すように、蓋部１０３の引き出し口１０４をつまみ部５３６の底辺である折り曲げ辺５２３に当接させる。その際、蓋部１０３の引き出し口１０４から上端辺２８の部分は裏紙１１に当接する。
【０１０５】
本実施形態においては、蓋部１０３の、裏紙１１と接する部分、つまり、引き出し口１０４から上端辺２８までの部分には接着剤が塗布されている。一方、蓋部１０３の、切開部５１およびつまみ部５３６と接する部分、つまり、引き出し口１０４から表紙１０の封入口辺２４までの部分には接着剤は塗布していない。従って、蓋部１０３を裏紙１１に貼着した時に、切開部５１及びつまみ部５３６は蓋部１０３には貼着されない。これにより後述するように封筒４の開封の際に開封具５が蓋部１０３に引っ張られて開封が妨げられたり開封具５が破損することが避けられる。
【０１０６】
蓋部１０３を裏紙に貼着した状態を図３８（ａ）、（ｂ）に示す。つまみ部５３６は蓋部１０３の引き出し口１０４から突出する。つまみ部５３６が突出しているために容易に摘むことが可能になる。
【０１０７】
次に、以上のようにして組み立てられた、本発明である封筒４の開封について説明する。封筒４の開封の仕方は、上述の第１の実施形態に係る封筒１の開封の仕方と同一である。すなわち、封筒４を保持した状態で、図３９（ａ）、（ｂ）に示すように、蓋部１０３の引き出し口１０４から突出したつまみ部５３６を矢印Ｅ方向へ引っ張る。つまみ部５３６を引っ張ることで、蓋部１０３は引き出し口１０４から破れる。さらにつまみ部５３６を引っ張ることで、封筒４内部に収容され、蛇腹上に折り畳まれた切開部５１が徐々に開かれながら封筒４の外部に引き出される。切開部５１が外部に引き出される過程で、切開部５１の斜辺５１５ａ、５１５ｂが裏紙１１の封入口辺２４に当接し、封入口辺２４を切断する。この切断口は斜辺５１５ａ、５１５ｂの傾斜に沿って徐々に拡げられる（図４０〜図４２）。切開部５１が底辺５１４まで引き出され、封筒４から完全に引き抜かれる（図４３）と、封筒４の開封が完了する。
【０１０８】
（第８の実施形態）
なお、上述した実施形態においては、切開部５１の斜辺５１５ａ、５１５ｂの底辺５１４に対する角度を一定とした。しかし、上述した第２の実施形態と同様に、斜辺５１５ａ、５１５ｂの角度は一定である必要はなく、図４４に示すように、斜辺５１５ａ、５１５ｂの途中から角度が変化する形状を採ることも可能である。
【０１０９】
（第９の実施形態）
また、第７及び第８の実施形態における開封具５は複数回折り畳まれ蛇腹形状となって封筒４内に収容されたが、開封具５を折り畳まずに平板上のまま封筒４内に収容しても良い。なお、この際には開封具５が封筒４の底部に落ち込んでつまみ部５３６が引き出し口１０４から封筒４の内部に入ってしまうおそれがある。そこで、開封具５の任意の場所に貼着部等の固定手段を設け、封筒４の内部に開封具５を固定させても良い。なお、この固定手段は、開封具５が折り畳まれて蛇腹状となる場合にも設けてもよい。
【０１１０】
（第１０の実施形態）
また、上述した第３の実施形態と同様に、開封具５に切開部５１を複数個設けても良い。例えば図４５に示されているように、つまみ部から離れる方向に沿って幅が狭くなるくびれ部５３を挟んで、第１の切開部５５１ａと第２の切開部５５１ｂを設けても良い。
【０１１１】
（第１１の実施形態）
また、上述した第７から第１０の実施形態における開封具５においては、封筒４から開封具５を引き出す過程において、切開部の底辺５１４が裏紙１１の封入口辺２４からの抗力により変形し、封入口辺２４の切断幅（開口幅）が底辺５１４の長さよりも短くなるおそれがある。そこで、図４６に示すように、開封具５に延長部５６を設けても良い。延長部５６は、切開部５５１の最大幅となる底辺５１４と同一の幅で底辺５１４に繋がって形成されている。延長部５６を設けることで、切開部５５１の底辺５１４が補強され、底辺５１４の幅で封入口辺２４を切断することができる。
【０１１２】
なお、開封具５を収容する封筒４が、表紙１０の一部に光透過性のフィルムからなる窓部を備えたいわゆる窓付き封筒である場合には、当該窓部に対応する延長部５６の位置に封筒４の送付先（宛名、住所等）を記載しても良い。
【０１１３】
（第１２の実施形態）
また、第７から第１１の実施形態における開封具５の形状は、開封具５の中心線Ｃ１、すなわち、つまみ部５３６の頂点５３８を通り、底辺５１４に垂直な線から見て線対称の形状であったが、非対称の形状としても良い。例えば図４７に示すように非対称な切開部５５１を開封具５に設けても良い。
【０１１４】
切開部５５１は、中心線Ｃ１から見て右側の斜辺５１５ａが途中で中心線Ｃ１に平行な（底辺５１４に垂直な）垂辺５６１に切り替わっている。一方、中心線Ｃ１から見て左側の斜辺５１５ｂは連結部５２の端部から底辺５１４まで切り替わることなく延びている。つまり、切開部５５１は、中心線Ｃ１から見て右側の切開幅ＷRが、左側の切開幅ＷLよりも短い。
【０１１５】
非対称の切開部５５１を備えた開封具５は、封筒４の引き出し口１０４が蓋部１０３の中心線Ｃ２からずれた位置にある封筒４を開封する際に使用すると好適である。すなわち、封筒４の引き出し口１０４が封筒４の中心線Ｃ２から右寄りにずれている場合に、左側の切開幅が右側の切開幅より長い切開部５５１によって封筒４の封入口辺２４を破る。
【０１１６】
この場合において、封筒４の引き出し口１０４の中心Ｃ１から封筒４の側辺２２までの距離が切開部５５１の右側の切開幅と等しいとより好適である。この場合には切開部５５１の垂辺５６１が封筒４の側辺２２に当接し、開封具５を引っ張るときのガイドとして機能する。開封具５を引っ張る方向がガイドされることで、開封具５の引抜きを安定して行うことができる。
【０１１７】
（第１３の実施形態）
さらに、第１２の実施形態に代えて、図４８に示すような、台形形状の第１の切開部５５１ａと、円弧辺５６３を備えた第２の切開部５５１ｂとを開封具５に設けても良い。第２の切開部５５１ｂは長方形の一部を切り欠いたような形状をしており、円弧辺５６３と、斜辺５６５と、切開辺５６７と、側辺５６９と底辺５７１とを備えている。円弧辺５６３は、第１の切開部５５１ａの斜辺５１５ａおよび第二の切開部５５１ｂの斜辺５６５と繋がっている。また、切開辺５６７は第１の切開部５５１ａの斜辺５１５ｂと繋がり、開封具５を封筒４に収容した際に、切開辺５６７と封筒４の封入口辺２４とがほぼ平行となるように形成されている。また、側辺５６９は切開辺５６７と繋がっている。底辺５７１は斜辺５６５と側辺５６９とを繋いでいる。
【０１１８】
このような形状の開封具５を封筒４から引き出す場合、図４９に示すように、まず第１の切開部５５１ａが引き出し口１０４および封筒４の封入口辺２４を切断する。その後、第２の切開部５５１ｂの切開辺５６７が封入口辺２４と線接触する。切開辺５６７と封入口辺２４とが線接触した状態では切開辺５６７は封入口辺２４を切断できない。
【０１１９】
さらにつまみ部５３６を引っ張ることにより、切開辺５６７が封入口辺２４に対して回転し、切開辺５６７と封入口辺２４の接触状態は線接触から点接触に変わる。つまみ部５３６を引っ張ると、図５０に示すように、第１の切開部５５１ａの斜辺５１５ｂと第二の切開部５５１ｂの切開辺５６７との交点５７２を回転中心として、円弧辺５６７に沿って開封具５が矢印Ｒ方向に回転する。開封具５が回転することにより、切開辺５６７と封入口辺２４との接触状態は線接触から点接触に変わる。具体的には切開辺５６７と封入口辺２４とは交点５７２で点接触する。さらに開封具５を引っ張ると、切開辺５６７と封入口辺２４との点接触状態は維持され、図５１に示すように、切開辺５６７により封入口辺は交点５７２から切断される。以上のようにして封筒４が開封される。
【０１２０】
（第１４の実施形態）
以上説明した実施形態では、蓋部１０３の引き出し口１０４からつまみ部３３６、５３６を引き出し、封筒１、４の外表面に露出したつまみ部３３６、５３６を折り曲げて突起させることにより摘み易い様にしていたが、この形態に限られない。例えばつまみ部３３６、５３６が外表面から突起していることにより、郵便の自動区分機において封筒１、４が搬送ベルト等に引っ掛かり、自動区分が適切に行われないおそれがある。そこで、このような場合にはつまみ部を封筒１、４の外表面から突起させないように、つまり、外表面に対して寝かせた状態にする。具体的には、封筒１、４の外表面に露出するつまみ部３３６、５３６の折り曲げ部３２１、５２１を蓋部１０３で押さえることで、つまみ部３３６、５３６の突起を防ぐ事ができる。
【０１２１】
例えば第１の実施形態に即して説明すると、図５２に示すように、蓋部１０３の引き出し口１０４と、つまみ部３３６の折り曲げ部３２３とを一致させなければ良い。この場合において、引き出し口１０４の周辺の蓋部１０３ａがつまみ部３３６の下部側（折り曲げ部３２３側）を押さえる形になる。蓋部１０３ａがつまみ部３３６の下部側を押さえることで、つまみ部３３６は裏紙１１に対して寝た状態となり、つまみ部３３６の突起を防ぐことができる。
【０１２２】
（第１５の実施形態）
なお、上述の実施形態においては、つまみ部３３６、５３６の形状は三角形や長方形であったが、これに代えて、つまみ部３３６、５３６を星型やハート型にして、装飾の機能を持たせても良い。
【０１２３】
以上では、封筒１、４は長方形の形状の封筒であるが、そのような形状に限定されることなく、封筒の外形は正方形でもよいし、一般的な封筒の規格である長形封筒、角形封筒、洋形封筒に沿った形状でもよい。さらに名刺を入れる様な小型封筒やお年玉を入れるような、いわゆる「ぽち袋」であってもよい。
【０１２４】
（第１６の実施形態）
さらに、封筒１、４に代えて包装材に本願発明を適用しても良い。本実施形態に係る包装材６を図５３に示す。図５３に示す包装材６は、いわゆる合わせ包み用の包装紙であり、直方体の箱を包装対象物としている。
【０１２５】
包装材６は、箱の側面を覆う側面被覆部６０１と、箱の天面を覆う天面被覆部６０３と、箱の底面を覆う底面被覆部６０５を備えている。天面被覆部６０３は２箇所に設けられており、包装の際は互いに重ね合わせられる重ね合わせ部として機能する。例えば２つの天面被覆部６０３ａ、６０３ｂ同士を重ねたあと、両者を粘着テープ等で貼り合わせる。天面被覆部６０３は長方形形状をしており、３辺が側面被覆部６０１と接している。さらに、天面被覆部６０３ａ、６０３ｂ同士を重ねた際、下層となる天面被覆部６０３ａの、側面被覆部６０１と繋がっていない辺からフラップ部３が繋がって設けられている。フラップ部３は第１の実施形態のフラップ部３と同様に、切開部３１及びつまみ部３３６を備えている。また、切開部３１及びつまみ部３３６に接続して補強部を設けても良い。切開部３１は、天面被覆部６０３ａ、６０３ｂ同士を重ねた際に上層となる天面被覆部６０３ｂに被覆される。さらに上層となる天面被覆部６０３ｂには引き出し口１０４が設けられ、この引き出し口１０４からつまみ部３３６が引き出される。
【０１２６】
図５４に直方体の箱を包んだ状態の包装材６を示す。包装を開く際には、つまみ部３３６を箱の天面に沿って矢印Ｇ方向に引っ張る。つまみ部３３６を引っ張ることにより、切開部３１が上層の天面被覆部６０３ｂを引き出し口１０４から破る。さらに切開部３１の斜辺が上層の天面被覆部６０３ｂと側面被覆部６０１との境界辺６０２に当接し、つまみ部３３６を引っ張ることにより、切開部３１の斜辺に沿って境界辺６０２が切断される。図５５に示すように、切開部３１の全面が包装材６から露出するまでつまみ部３３６を引っ張ったら、次につまみ部３３６を矢印Ｇ方向とは逆のＨ方向に引っ張る。これにより、図５６に示すように、つまみ部３３６の底辺３１４の幅で上層及び下層の天面被覆部６０３ａ、６０３ｂが破られる。これにより箱の天面６０７が表われ、包装材６から箱を取り出すことができる。
【０１２７】
なお、上述した包装材６は合わせ包み用の包装紙であったが、これに限られない。すなわち、包装の際に重ね合わせられる重ね合わせ部がある包装材であれば本願発明を適用できる。具体的には、重ね合わせたときに下層となる重ね合わせ部にフラップ部３を繋げ、上層となる重ね合わせ部に引き出し口１０４を設ければよい。さらに、本実施形態に掛かる包装材の材質は紙に限定されない。例えば食品などを包装するアルミ箔などを材料としても良い。
【０１２８】
以上説明した実施形態では、フラップ部３を備えた封筒１、封筒とは分離された開封具５、さらにフラップ部３を備えた包装材６について説明したが、本願発明はこれらの形態に限られない。例えば、封筒１や包装材６の展開図や開封具５の平面図（図３０の図）が印刷された型紙についても本願発明は適用される。また、封筒１や包装材６の展開図や開封具５の平面図が打ち抜かれたテンプレート板についても本願発明は適用される。また、コンピュータの記憶部に封筒１や包装材６の展開図や開封具５の平面図のデータを記憶させるとともに、コンピュータの制御部や出力部から、コンピュータに接続されたプリンタに対して、紙等の印刷媒体に封筒１や包装材６の展開図や開封具５の平面図の印刷指令を出力させるプログラムについても本願発明は適用される。なお、この場合においては、コンピュータのユーザの操作によって展開図や平面図の寸法や角度等を変更できるように、封筒１や包装材６の展開図や開封具５の平面図のデータ形式をベクタデータ（ベクトルデータ）としても良い。
【符号の説明】
【０１２９】
１  封筒、３  フラップ部、４  封筒、５  開封具、６  包装材、８  フラップ部、１０  表紙、１１  裏紙、２１  中央折り曲げ辺、２２  表紙の側辺、２３  表紙の底辺、２４  表紙の封入口辺、２５  裏紙の封入口辺、２８  蓋部の上端辺、２９  蓋部の斜辺、３１  切開部、３１ａ  第１の切開部、３１ｂ  第２の切開部、３２  連結部、３３  つまみ部の補強部、３４  切開部の補強部、３５  蛇腹部、５１  開封具の切開部、５２  開封具の連結部、５５  開封具の蛇腹部、５６  延長部、１０１  側部糊しろ、１０２  底部糊しろ、１０３  蓋部、１０４  引き出し口、３１１  補強部の上端辺、３１２  補強部の側辺、３１３  補強部の傾斜側辺、３１４  切開部の折り曲げ辺、３１５  切開部の斜辺、３１６  切開部の折り曲げ辺、３２１  切開部の上端辺、３２２  連結部の側辺、３２３  つまみ部の折り曲げ辺、３３０  補強部の折り曲げ辺、３３１  長辺、３３１ｃ  折り曲げ辺、３３２  対向長辺、３３３  短辺、３３４  つまみ部の折り曲げ辺、３３６  つまみ部、３３８  つまみ部の頂点、３３９  つまみ部の折り曲げ辺、５１４  切開部の底辺、５１５  切開部の斜辺、５１６  切開部の折り曲げ辺、５２１  連結部の折り曲げ辺、５２２  連結部の側辺、５２３  つまみ部の折り曲げ辺、５３６  つまみ部、５３８  つまみ部の頂点、５５１ａ  第１の切開部、５５１ｂ  第２の切開部、５６１  第２の切開部の垂辺、５６３  第２の切開部の円弧辺、５６５  第２の切開部の斜辺、５６７  第２の切開部の切開辺、５６９  第２の切開部の側辺、５７１  第２の切開部の底辺、６０１  底面被覆部、６０２  境界辺、６０３天面被覆部、６０５  側面被覆部。
【要約】
【課題】従来よりも開封の容易な封筒を提供する。
【解決手段】封筒１は、表紙１０の封入口辺２４に繋がって設けられた蓋部１０３と、裏紙１１の封入口辺２５に繋がって設けられたフラップ部３を備えている。フラップ部３は、封入口辺２５側から順に、切開部３１と、つまみ部３３６を備えている。切開部３１は、封入口辺２５に向かう方向に沿って幅が広くなるように形成され、封筒１内部に折り曲げられることで封筒１内に収容される。また、つまみ部３３６は蓋部１０３に設けられた引き出し口１０４から封筒１外に引き出される。つまみ部３３６を引っ張ると、切開部３１が封入口辺２５を切断しながら封筒１の内部から引き出される。これにより封入口２５の切断口は切断部３１の底辺３１４の幅まで拡げられ、封筒１が開封される。
【選択図】図１【図１】
0004605674.tif 000002
【図２】
0004605674.tif 000003
【図３】
0004605674.tif 000004
【図４】
0004605674.tif 000005
【図５】
0004605674.tif 000006
【図６】
0004605674.tif 000007
【図７】
0004605674.tif 000008
【図８】
0004605674.tif 000009
【図９】
0004605674.tif 000010
【図１０】
0004605674.tif 000011
【図１１】
0004605674.tif 000012
【図１２】
0004605674.tif 000013
【図１３】
0004605674.tif 000014
【図１４】
0004605674.tif 000015
【図１５】
0004605674.tif 000016
【図１６】
0004605674.tif 000017
【図１７】
0004605674.tif 000018
【図１８】
0004605674.tif 000019
【図１９】
0004605674.tif 000020
【図２０】
0004605674.tif 000021
【図２１】
0004605674.tif 000022
【図２２】
0004605674.tif 000023
【図２３】
0004605674.tif 000024
【図２４】
0004605674.tif 000025
【図２５】
0004605674.tif 000026
【図２６】
0004605674.tif 000027
【図２７】
0004605674.tif 000028
【図２８】
0004605674.tif 000029
【図２９】
0004605674.tif 000030
【図３０】
0004605674.tif 000031
【図３１】
0004605674.tif 000032
【図３２】
0004605674.tif 000033
【図３３】
0004605674.tif 000034
【図３４】
0004605674.tif 000035
【図３５】
0004605674.tif 000036
【図３６】
0004605674.tif 000037
【図３７】
0004605674.tif 000038
【図３８】
0004605674.tif 000039
【図３９】
0004605674.tif 000040
【図４０】
0004605674.tif 000041
【図４１】
0004605674.tif 000042
【図４２】
0004605674.tif 000043
【図４３】
0004605674.tif 000044
【図４４】
0004605674.tif 000045
【図４５】
0004605674.tif 000046
【図４６】
0004605674.tif 000047
【図４７】
0004605674.tif 000048
【図４８】
0004605674.tif 000049
【図４９】
0004605674.tif 000050
【図５０】
0004605674.tif 000051
【図５１】
0004605674.tif 000052
【図５２】
0004605674.tif 000053
【図５３】
0004605674.tif 000054
【図５４】
0004605674.tif 000055
【図５５】
0004605674.tif 000056
【図５６】
0004605674.tif 000057
【図５７】
0004605674.tif 000058